(57)【要約】【課題】被写体の照明状態をユーザが所望する状態にすること。【解決手段】撮像装置１は、撮像部１６と、第１点光源部１９ａ及び面光源部１９ｂと、第２点光源部１９ｃと、軸１００（軸１００Ａ，１００Ｂ）と、を備える。撮像部１６は、被写体を撮像する。第１点光源部１９ａ及び面光源部１９ｂは、被写体へ照明光を第１の方向から照らす。第２点光源部１９ｃは、被写体へ照明光を第２の方向から照らす。軸１００（軸１００Ａ，１００Ｂ）は、撮像部１６の撮像方向を基準とし、光源部１９（第１点光源部１９ａ、面光源部１９ｂ及び第２点光源部１９ｃ）の位置及び照射方向を調整する。【選択図】図１
2017015885.tif 000002
【特許請求の範囲】
【請求項１】
被写体を撮像する撮像部と、
前記被写体へ照明光を第１の方向から照らす第１の光源部と、
前記被写体へ照明光を前記第１の方向とは異なる第２の方向から照らす第２の光源部と、
前記撮像部の位置及び撮像方向を基準とし、前記第１の光源部及び前記第２の光源部の位置及び照射方向を調整する調整部と、
を備えたことを特徴とする撮像装置。
【請求項２】
前記調整部は回動動作によって前記第１の光源部及び前記第２の光源部の位置及び照射方向を夫々調整する、
ことを特徴とする請求項１に記載の撮像装置。
【請求項３】
前記第１の光源部は、第１の筐体に設けられ、
前記第２の光源部は、第２の筐体に設けられ、
前記調整部は、前記第１の筐体と前記第２の筐体とを連結し、第１の回動軸を中心にして移動可能とし、前記第１の光源部及び前記第２の光源部の位置及び照射方向を夫々独立して調整する、
ことを特徴とする請求項１又は２に記載の撮像装置。
【請求項４】
前記調整部は、前記第１の筐体と前記第２の筐体とを回動可能に連結させ、前記撮像部を中心にして回動させて前記第１の光源部及び前記第２の光源部の位置及び照射方向を夫々調整する、
ことを特徴とする請求項３に記載の撮像装置。
【請求項５】
前記調整部は、前記第１の筐体と前記第２の筐体とを第１の回動軸を中心に回動可能に連結させ、前記第１の回動軸を中心にして回動させることにより前記第１の光源部及び前記第２の光源部の位置及び照射方向を夫々独立して調整する、
ことを特徴とする請求項４に記載の撮像装置。
【請求項６】
前記撮像部は、第３の筐体に設けられ、
前記調整部は、前記第１の筐体と前記第３の筐体とを移動可能に連結させ、前記第３の筐体を移動させることにより前記撮像部の撮影方向を調整する、
ことを特徴とする請求項３乃至５の何れか１項に記載の撮像装置。
【請求項７】
前記調整部は、前記第３の筐体を前記第１の筐体と回動可能に連結させ、前記第３の筐体を回動させることにより前記撮像部の撮影方向を調整する、
ことを特徴とする請求項６に記載の撮像装置。
【請求項８】
前記調整部は、前記第１の筐体、前記第２の筐体、及び前記第３の筐体を前記第１の回動軸を中心に回動可能に連結させ、各筐体の少なくとも１つを回動させることで、前記第１の光源部及び前記第２の光源部の位置及び照射方向を夫々調整する、
ことを特徴とする請求項６又は７に記載の撮像装置。
【請求項９】
前記第３の筐体は、撮像部の撮影方向と正対方向に回転する第２の回動軸を中心に回動可能な表示部を備える、
ことを特徴とする請求項６乃至８の何れか１項に記載の撮像装置。
【請求項１０】
撮影モードを設定する設定部と、
前記第１の光源部及び前記第２の光源部の発光状態を制御する制御部をさらに備え、
前記制御部は、前記設定部によって設定された撮影モードに応じて、発色と発光量を変更するように前記第１の光源部及び前記第２の光源部を制御する、
ことを特徴とする請求項１乃至９の何れか１項に記載の撮像装置。
【請求項１１】
設定部によって設定された前記撮影モードに応じて、前記撮像部によって撮像された画像を補正する画像補正部をさらに備える、
ことを特徴とする請求項１０に記載の撮像装置。
【請求項１２】
前記撮影モードに適した前記第１の光源部及び前記第２の光源部の位置及び照射方向になるように、指示情報を報知する報知部を更に備える、
ことを特徴とする請求項１０又は１１の何れか１項に記載の撮像装置。
【請求項１３】
前記第１の光源部及び前記第２の光源部の位置及び照射方向に関する情報を取得するし取得部を更に備え、
前記設定部は、前記取得部により取得された情報に基づいて、撮影モードを設定する、
ことを特徴とする請求項１０乃至１２の何れか１項に記載の撮像装置。
【請求項１４】
前記第１の光源部は、面発光可能な発光ダイオードで構成され、
前記第２の光源部は、点発光可能な発光ダイオードで構成される、
ことを特徴とする請求項１乃至１３の何れか１項に記載の撮像装置。
【請求項１５】
前記調整部は、少なくとも前記第１の光源部又は前記第２の光源部の何れか一方が所定位置となった場合にクリック感を出すように構成される、
ことを特徴とする請求項１乃至１４の何れか１項に記載の撮像装置。
【請求項１６】
前記調整部は、前記第１の光源部及び前記第２の光源部の位置及び照射方向を連動させて調整する、
ことを特徴とする請求項１乃至１４の何れか１項に記載の撮像装置。
【請求項１７】
被写体を撮像する撮像部と、前記被写体へ照明光を第１の方向から照らす第１の光源部と、前記被写体へ照明光を前記第１の方向とは異なる第２の方向から照らす第２の光源部と、前記撮像部の位置及び撮像方向を基準とし、前記第１の光源部及び前記第２の光源部の位置及び照射方向を調整する調整部と、を備える撮像装置で実行される撮影制御方法であって、
前記第１の光源部及び前記第２の光源部の発光状態を制御する制御ステップと、
前記制御ステップの制御下において、前記撮像部での撮影を行う撮影ステップと、
を含み、
前記制御ステップでは、撮影スタイルに応じて、発色と発光量を変更するように前記第１の光源部及び前記第２の光源部を制御する、
ことを特徴とする撮影制御方法。
【請求項１８】
被写体を撮像する撮像部と、前記被写体へ照明光を第１の方向から照らす第１の光源部と、前記被写体へ照明光を前記第１の方向とは異なる第２の方向から照らす第２の光源部と、前記撮像部の位置及び撮像方向を基準とし、前記第１の光源部及び前記第２の光源部の位置及び照射方向を調整する調整部と、を備える撮像装置を制御するコンピュータを、
前記第１の光源部及び前記第２の光源部の発光状態を制御する制御手段、
前記制御手段の機能発揮下において、前記撮像部での撮影を行う撮影手段、
として機能させ、
前記制御手段は、撮影スタイルに応じて、発色と発光量を変更するように前記第１の光源部及び前記第２の光源部を制御する、
ことを特徴とするプログラム。
【発明の詳細な説明】
【技術分野】
【０００１】
本発明は、撮像装置、撮影制御方法及びプログラムに関する。
【背景技術】
【０００２】
従来より、被写体を撮影する際に、撮像装置に備えられた複数のストロボの照射方向や発光強度、及び発光色を制御し、様々な撮影環境に対して被写体を適切な照明状態に変化させる技術がある（特許文献１参照）。
【先行技術文献】
【特許文献】
【０００３】
【特許文献１】特開２０１２−２４７５２７号公報
【発明の概要】
【発明が解決しようとする課題】
【０００４】
しかしながら、上述した特許文献１に記載された技術は、画角内における被写体の位置や数に応じて、光源から照射される光の照射方向を制御し、照明状態を調整することはできるが、光の照射方向を制御するだけでは、被写体の位置、形状、向きによっては、必ずしも容易に所望の陰影をつけることが出来るとは言えず、ユーザが所望する照明状態にできるとは言えなかった。
【０００５】
本発明は、このような状況に鑑みてなされたものであり、被写体の照明状態をユーザが所望する状態にすることを目的とする。
【課題を解決するための手段】
【０００６】
上記目的を達成するため、本発明の一態様の撮像装置は、
被写体を撮像する撮像部と、
前記被写体へ照明光を第１の方向から照らす第１の光源部と、
前記被写体へ照明光を前記第１の方向とは異なる第２の方向から照らす第２の光源部と、
前記撮像部の位置及び撮像方向を基準とし、前記第１の光源部及び前記第２の光源部の位置及び照射方向を調整する調整部と、
を備えたことを特徴とする。
【発明の効果】
【０００７】
本発明によれば、被写体の照明状態をユーザが所望する状態にすることができる。
【図面の簡単な説明】
【０００８】
【図１】本発明の一実施形態の撮像装置の外観を示す外観図である。
【図２】本発明の一実施形態の撮像装置の外観を示す外観図である。
【図３】各種撮影モード時における撮影スタイルとライトアップを説明するための模式図である。
【図４】本発明の一実施形態に係る撮像装置のハードウェアの構成を示すブロック図である。
【図５】図４の撮像装置の機能的構成のうち、ライティング撮影処理を実行するための機能的構成を示す機能ブロック図である。
【図６】図５の機能的構成を有する図４の撮像装置が実行するライティング撮影処理の流れを説明するフローチャートである。
【発明を実施するための形態】
【０００９】
以下、本発明の実施形態について、図面を用いて説明する。
【００１０】
図１及び図２は、本発明の一実施形態の撮像装置の外観を示す外観図である。
撮像装置１は、図１（ａ）に示すように、第１筐体２と、第１筐体２と連結する第２筐体３と、第１筐体２に連結して、第２筐体３を外周から覆うフレーム４と、を備える。
【００１１】
第１筐体２には、第２筐体３との連結側とは反対方向の端部に点発光源となる点光源部（以下、「第１点光源部」という。）１９ａと、中央付近には面発光源となる面光源部１９ｂと、が設けられる。即ち、第１筐体２においては、第１点光源部１９ａと、面光源部１９ｂとによる２つの光源によるライトアップが可能となり、さらに、点と面の異なる種類の光源によるライトアップが可能となる。
【００１２】
第２筐体３には、上部の端部（撮像装置１のほぼ中央）に撮像部１６と、入力部１７と出力部１８から構成されるタッチパネルが設けられる。また、撮像部１６にタッチパネルは、軸１００Ｃを介して軸支されており、撮像部１６の撮影方向に対して、タッチパネルの表示／操作面が反転可能に構成される。これにより、撮影者自身の姿を見ながらの撮影（以下、「自分撮り」という。）と、ユーザが自分以外を被写体とする撮影（以下、「普通撮り」という。）を行うことができる。
【００１３】
フレーム４には、略第１点光源部１９ａと撮像部１６を中心にして対をなす位置で第２筐体３の端部に点発光源となる点光源部（以下、「第２点光源部」という。）１９ｃが設けられる。したがって、撮像装置１では、撮像部１６の撮影方向への、第１筐体２側から第１点光源部１９ａ及び面光源部１９ｂによるライトアップを行い、第２筐体３側から第２点光源部１９ｃによるライトアップを行うことが可能となる。
【００１４】
また、第１筐体２は、第２筐体３と撮像部１６を挟み込むように両側から軸１００Ａを介して軸支されており（図示せず）、図１（ｂ）に示すように、第２筐体３の方向（以下、「折り畳み方向」という。）Ｄ１に回動可能に構成される。このため、第２筐体３において撮像部１６の撮像方向を固定した場合に、第１筐体２を回動させることで、第１点光源部１９ａ及び面光源部１９ｂのライトアップ方向ＬＤ１を変更することができる。
【００１５】
また、フレーム４は、第２筐体３の外周に位置し、第１筐体２を挟み込むように両側から軸１００Ｂを介して軸支されており（図示せず）、第１筐体２方向に回動可能に構成される。このため、第２筐体３において撮像部１６の撮像方向を固定した場合に、フレーム４を回動させることで、第２点光源部１９ｃのライトアップ方向ＬＤ２を変更することができる。
【００１６】
このように撮像部１６の撮影方向に対して、ライトアップ方向を変更可能にすることで、撮影方向上にある被写体に対して、確実にライトアップすることができる上に、被写体の形状や状態に対応して、ライトアップ位置を変えて、効果的なライトアップを行うことができる。なお、フレーム４には第２点光源部１９ｃの背面側に、さらに第２点光源部１９ｃと同様の点光源部を設けるように構成してもよい。このように構成することで、フレーム４を第１筐体２側に回動させることで、第１点光源部１９ａと、面光源部１９ｂと同じ方向からライトアップが可能となる。
【００１７】
また、撮像装置１では、第１筐体２を、第２筐体３の方向Ｄ１に回動させると、図２（ａ）に示すような折り畳み状態にすることができる。撮像装置１の折り畳み状態では、第１筐体２が撮像部１６を避ける形状となっており、撮像部１６が露出状態となっているため、折り畳み状態でも撮影が可能となる。また、フレーム４が第２筐体３の外周に位置するために、折り畳み状態でも第２点光源部１９ｃによるライトアップが可能となる。
また、撮像装置１を折り畳み状態とすることで、小型化することができ、第１筐体２のように、第２筐体３に対して、突出した部位もなくなるため、破損等の心配なく容易に携行することができるようになる。また、折り畳み状態を解除することで、ライトアップを自動的に行うように構成することもできる。
【００１８】
また、フレーム４は、第１筐体２を挟み込むように両側から軸支されているために、第１筐体２の方向Ｄ２と逆の方向Ｄ３に回動させることが可能であり、図２（ｂ）に示すように、フレーム４の底部と、第２筐体の底部を接地させることで、撮像装置１を自立させることができる。これにより、撮像装置１を固定させて、第１点光源部及び面光源部１９ｂによるライトアップを行って、撮影を行うことができる。
【００１９】
また、第１筐体２とフレーム４は、第２筐体３に対して、例えば、想定される被写体を好適な方向からライトアップ可能な位置となる場所を音や回動負荷でユーザに知らせるように、所定の位置でクリック感を発生させるように構成される。
【００２０】
以上のように構成される撮像装置１を使って、ユーザは、本実施形態においては、以下のような撮影モードで撮影を行うように構成される。
撮影モードは、撮像装置１の撮影時の状態姿勢（以下、「撮影スタイル」という。）と、発光の色合いや強度を変えるライトアップ制御と、画像補正とが対応付けられて、それらを組み合わせて撮影を行うと、撮影された画像に所定の効果が付加されたようになる。
【００２１】
図３は、各種撮影モード時における撮影スタイルとライトアップ（ライティング）を説明するための模式図である。
本実施形態においては、顔を撮影するモードとして、「美白」，「ナチュラル」，「ドラマチック」，「ふんわり（ライティング）」，「バタフライ」，「レンブラント」の６種類の撮影モードが設定可能となる。
【００２２】
「美白」は、顔を白く美しく見せるための撮影モードであり、図３（ａ）に示すように、顔に対して、第１点光源部１９ａ及び面光源部１９ｂを顔の正面から光を照射可能なように、第１筐体２を顔に正対させ、第２点光源部１９ｃを顔の下方から光を照射可能なようにフレーム４の角度を調節する撮影スタイルを採る。
この際のライトアップ制御は、全ての光源（第１点光源部１９ａ、面光源部１９ｂ及び第２点光源部１９ｃ）からの発色は白色とし、光量を最大（少なくとも強め）にする。そして、撮影する画像に対して、顔が白く美しくなるような画像補正が施される。
「美白」で撮影することで、複数の光源位置を回動動作によって調整しつつ、強い光を当てることで、被写体の顔の陰影を減らすことが出来、さらに美白のための画像補正を加えるため、肌が美白に見えると共に、髪の毛が艶やかで、唇に立体感を出すことができる。
【００２３】
「ナチュラル」は、自然光下で撮影したように見せるための撮影モードであり、図３（ｂ）に示すように、「美白」と同様に、顔に対して、第１点光源部１９ａ及び面光源部１９ｂを顔の正面から光を照射可能なように、第１筐体２を顔に正対させ、第２点光源部１９ｃを顔の下方から光を照射可能なようにフレーム４の角度を調節する撮影スタイルを採る。
この際のライトアップ制御は、全ての光源（第１点光源部１９ａ、面光源部１９ｂ及び第２点光源部１９ｃ）からの発色は暖色系とし、光量を強めにする。そして、画像に対して、自然光下で撮影したようになるような画像補正が施される。
「ナチュラル」で撮影することで、複数の光源位置を回動動作によって調整しつつ暖色の光を当てるため、陰影を減らすとともに被写体の肌色を好適にするため、素肌のツヤが出て見える。なお、「ナチュラル」は、化粧をしていない女性に対しての撮影にも適する。
【００２４】
「ドラマチック」は、劇的な印象となる撮影をする撮影モードであり、図３（ｃ）に示すように、顔に対して、撮像装置１を横の状態にして、第２筐体３を正対させ、第１点光源部１９ａを顔の側方から光を照射可能なように第１筐体２の角度を調節する撮影スタイルを採る。
この際のライトアップ制御は、第１点光源部１９ａのみ発光させ、発色は紫系とし、光量を強めにする。そして、画像に対して、劇的な印象となるよう鼻や目元などの陰影部分を強調するような画像補正が施される。
「ドラマチック」で撮影することで、発色効果に加えて、顔の半面のみに光が当たって、半面は影となるような状態となるため、クールな感じを演出し、インパクトが出て見える。
【００２５】
「ふんわり」は、淡く柔らかいように見せるための撮影モードであり、図３（ｄ）に示すように、「美白」と同様に、顔に対して、第１点光源部１９ａ及び面光源部１９ｂを顔の正面から光を照射可能なように、第１筐体２を顔に正対させ、第２点光源部１９ｃを顔の下方から光を照射可能なようにフレーム４の角度を調節する撮影スタイルを採る。
この際のライトアップ制御は、全ての光源（第１点光源部１９ａ、面光源部１９ｂ及び第２点光源部１９ｃ）からの発色は白系とし、光量を弱めにする。そして、画像に対して、淡く柔らかくなるような画像補正が施される。
「ふんわり」で撮影することで、複数の光源位置を回動動作によって調整しつつ、光を照射して陰影を減らすとともに、さらにソフトフォーカスといった画像補正を加えるため、透明感を演出し、全体にマットな質感が与えられて見える。
【００２６】
「バタフライ」は、顔をよりフラットに見せるための撮影モードであり、図３（ｅ）に示すように、顔よりも高い位置から第１点光源部１９ａ、面光源部１９ｂ及び第２点光源部１９ｃの正面光源を照射する撮影スタイルを採る。
この際のライトアップ制御は、影の状況に応じて、第１点光源部１９ａや第２点光源部１９ｃの２つめの光源で明度を調整する。さらに、「ドラマチック」と同様に、画像に対して、劇的な印象となるよう陰影部分を強調するような画像補正が施される。
「バタフライ」で撮影することで、複数の光源位置を回動動作によって調整して顔の特徴部分の陰影及び明度を調整し、さらに劇的な印象となるよう陰影部分を強調するような画像補正をするため、顎下・鼻下・眼高にはっきりとした影を作り出すことができ、引き締まった表情につなげることができ、結果として、顔をよりフラットに見せることができる。
【００２７】
「レンブラント」は、自然光に近い構図で、ドラマチックな印象に見せるための撮影モードであり、図３（ｆ）に示すように、顔の斜め上から面光源１９ｂを照射する撮影スタイルを採る。
この際、サブとなる第１点光源部１９ａや第２点光源部１９ｃでアイライトを保つことで、より好適な印象を与える表現が可能となる。
「レンブラント」で撮影することで、複数の光源位置を回動動作によって調整して自然光に近い状態にしつつアイライトを調整し、さらに劇的な印象となるよう陰影部分を強調するような画像補正をするため、自然光に近い構図で撮影でき、光と影をバランスよく表現することができ、結果として、ドラマチックな印象を与える構図での撮影が可能となる。
【００２８】
次に、本実施形態の撮像装置１のハードウェア構成について説明する。
図４は、本発明の一実施形態に係る撮像装置１のハードウェアの構成を示すブロック図である。
撮像装置１は、例えばデジタルカメラとして構成される。
【００２９】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、光源部１９と、記憶部２０と、通信部２１と、ドライブ２２と、を備えている。
【００３０】
ＣＰＵ１１は、ＲＯＭ１２に記録されているプログラム、又は、記憶部２０からＲＡＭ１３にロードされたプログラムに従って各種の処理を実行する。
【００３１】
ＲＡＭ１３には、ＣＰＵ１１が各種の処理を実行する上において必要なデータ等も適宜記憶される。
【００３２】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、光源部１９、記憶部２０、通信部２１及びドライブ２２が接続されている。
【００３３】
撮像部１６は、図示はしないが、光学レンズ部と、イメージセンサと、を備えている。
【００３４】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００３５】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００３６】
入力部１７は、各種釦等で構成され、ユーザの指示操作に応じて各種情報を入力する。
【００３７】
出力部１８は、ディスプレイやスピーカ等で構成され、画像や音声を出力する。
【００３８】
光源部１９は、第１点光源部１９ａと、面光源部１９ｂと、第２点光源部１９ｃとを備える。第１点光源部１９ａ及び面光源部１９ｂは、第１筐体２側に配置され、第２点光源部１９ｃは、フレーム４側に配置される。
【００３９】
第１点光源部１９ａ及び第２点光源部１９ｃは、離された位置に複数（本実施形態においては、３つ）のＬＥＤ（Ｌｉｇｈｔ  Ｅｍｉｔｔｉｎｇ  Ｄｉｏｄｅ）を配置して、それぞれのＬＥＤが独立して異なる場所を照射するように点発光可能に構成される。
【００４０】
面光源部１９ｂは、ＬＥＤ等の光源からの光を、拡散板等を利用して乱反射させて面発光可能に構成される。
【００４１】
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００４２】
通信部２１は、インターネットを含むネットワークを介して他の装置（図示せず）との間で行う通信を制御する。
【００４３】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００４４】
次に、本実施形態の撮像装置１の機能的構成について説明する。
図５は、図４の撮像装置１の機能的構成のうち、ライティング撮影処理を実行するための機能的構成を示す機能ブロック図である。
ライティング撮影処理とは、設定された撮影モードに対応したライティングで撮影を行って、出力された画像に対して設定された撮影モードに対応した画像処理を行う一連の処理をいう。
【００４５】
ライティング撮影処理を実行する場合には、図５に示すように、ＣＰＵ１１において、設定処理部５１と、出力制御部５２と、光源制御部５３と、撮像制御部５４と、画像補正部５５と、が機能する。
【００４６】
また、記憶部２０の一領域には、ライティング情報記憶部７１と、画像記憶部７２と、が設定される。
【００４７】
ライティング情報記憶部７１には、選択されたライティング種別に対応する光源部１９の制御情報や画像補正の情報等のライティングに係る情報（以下、「ライティング情報」という。）が記憶される。
画像記憶部７２には、撮像画像のデータが記憶される。
【００４８】
設定処理部５１は、ユーザからの入力部１７へのモード設定操作に基づいて、撮影モードの設定を行う。本実施形態においては、「美白」，「ナチュラル」，「ドラマチック」，「ふんわり」，「バタフライ」，「レンブラント」の撮影モードのいずれかが設定される。
【００４９】
出力制御部５２は、撮像部１６から取得したライブビュー画像を表示させるように出力部１８を制御する。ユーザは、出力部１８に表示されるライブビュー画像を確認して、撮影指示を行うことができる。
【００５０】
光源制御部５３は、設定された撮影モードに応じたライティング情報記憶部７１に記憶されるライティング情報を参照して、撮影モードに応じた発色・強度等になるように光源部１９（第１点光源部１９ａと、面光源部１９ｂと、第２点光源部１９ｃ）の発光を制御する。
【００５１】
撮像制御部５４は、ライブビュー画像を撮像したり、ユーザからの入力部１７への撮影指示操作に基づいて、撮影処理を行ったりするように撮像部１６を制御する。
【００５２】
画像補正部５５は、撮像部１６から出力された撮像画像に対して、設定された撮影モードに応じたライティング情報記憶部７１に記憶されるライティング情報を参照して、撮影モードに応じた画像補正を行う。
【００５３】
次に、撮像装置１で実行されるライティング撮影処理について説明する。
図６は、図５の機能的構成を有する図４の撮像装置１が実行するライティング撮影処理の流れを説明するフローチャートである。
ライティング撮影処理は、ユーザによる入力部１７へのライティング撮影処理開始の操作により開始される。
【００５４】
ステップＳ１１において、設定処理部５１は、ユーザからの入力部１７へのモード設定操作に基づいて、撮影モードを設定する。本実施形態においては、「美白」，「ナチュラル」，「ドラマチック」，「ふんわり」，「バタフライ」，「レンブラント」の撮影モードのいずれかがユーザの指示により設定される。
【００５５】
ステップＳ１２において、出力制御部５２は、ライブビュー画像を表示するように出力部１８を制御する。その結果、出力部１８では、ライブビュー表示が行われる。ユーザは、出力部１８に表示されるライブビュー画像を確認して、撮影指示を行うこととなる。
【００５６】
ステップＳ１３において、光源制御部５３は、設定された撮影モードに応じたライティング情報記憶部７１に記憶されるライティング情報を参照して、撮影モードに応じた発色・強度等になるように光源部１９（第１点光源部１９ａと、面光源部１９ｂと、第２点光源部１９ｃ）の発光を制御する。
【００５７】
ステップＳ１４において、撮像制御部５４は、ユーザからの入力部１７への撮影指示操作があったか否かを判定する。
撮影指示操作がない場合には、ステップＳ１４においてＮＯと判定されて、処理はステップＳ１４において待機状態となる。
これに対して、撮影指示操作があった場合には、ステップＳ１４においてＹＥＳと判定されて、処理はステップＳ１５に進む。
【００５８】
ステップＳ１５において、撮像制御部５４は、撮影処理を実行する。撮影処理の結果、撮像部１６から撮像画像が出力される。
【００５９】
ステップＳ１６において、画像補正部５５は、撮像部１６から出力された撮像画像に対して、設定された撮影モードに応じたライティング情報記憶部７１に記憶されるライティング情報を参照して、撮影モードに応じた画像補正を行う。そして、撮影モードに応じて画像補正が施された撮像画像は、画像記憶部７２に記憶される。
その後、ライティング撮影処理は終了する。
【００６０】
以上のように構成される撮像装置１は、撮像部１６と、第１点光源部１９ａ及び面光源部１９ｂと、第２点光源部１９ｃと、軸１００（軸１００Ａ，１００Ｂ）と、を備える。
撮像部１６は、被写体を撮像する。
第１点光源部１９ａ及び面光源部１９ｂは、被写体へ照明光を第１の方向から照らす。
第２点光源部１９ｃは、被写体へ照明光を第２の方向から照らす。
軸１００（軸１００Ａ，１００Ｂ）は、撮像部１６の位置及び撮影方向を基準とし、光源部１９（第１点光源部１９ａ、面光源部１９ｂ及び第２点光源部１９ｃ）の位置及び照射方向を調整する。
これにより、撮像装置１においては、複数光源の位置関係を変更することで、被写体への照明状態をユーザが所望する状態にすることができる。
【００６１】
軸１００（軸１００Ａ，１００Ｂ）は、回動動作によって光源部１９（第１点光源部１９ａ、面光源部１９ｂ及び第２点光源部１９ｃ）の位置及び照射方向を調整する。
これにより、撮像装置１においては、ユーザの簡単な操作で光源部１９（第１点光源部１９ａ、面光源部１９ｂ及び第２点光源部１９ｃ）の位置及び照射方向を調整することができる。
【００６２】
第１点光源部１９ａ及び面光源部１９ｂは、第１筐体２に設けられる。
第２点光源部１９ｃは、フレーム４に設けられる。
軸１００Ｂは、第１の回転軸として機能し、第１筐体２とフレーム４とを連結し、当該第１の回転軸である軸１００Ｂを中心にして移動可能とし、第１点光源部１９ａ及び面光源部１９ｂ、並びに第２点光源部１９ｃの位置及び照射方向を夫々独立して調整する。
これにより、撮像装置１においては、第１点光源部１９ａ及び面光源部１９ｂの位置と、第２点光源部１９ｃの位置を独立して調整可能であるため、複数光源の位置関係を変更することで、被写体への照明状態をユーザが所望する状態にすることができる。
【００６３】
軸１００Ｂは、第１筐体２とフレーム４とを回動可能に連結させ、撮像部１６を中心にして回動させて第１点光源部１９ａ及び面光源部１９ｂ及び第２点光源部１９ｃの位置及び照射方向を夫々調整する。
これにより、撮像装置１においては、回動可能に構成されるために、可動範囲が制限されて、操作に不慣れなユーザでも簡単に好適な被写体への照明状態とすることができる。
【００６４】
軸１００Ａは、第１筐体２とフレーム４とを第１の回動軸である軸１００Ａを中心に回動可能に連結させ、第１の回動軸である軸１００Ａを中心にして回動させることにより第１点光源部１９ａ及び面光源部１９ｂ及び第２点光源部１９ｃの位置及び照射方向を夫々独立して調整する。
これにより、撮像装置１においては、回動可能に構成されるために、可動範囲が制限されて、操作に不慣れなユーザでも回動操作でより簡単に好適な被写体への照明状態とすることができる。
【００６５】
撮像部１６は、第２筐体３に設けられる。
軸１００Ａは、第１筐体２と第２筐体３とを移動可能に連結させ、第２筐体３を移動させることにより撮像部１６の撮影方向を調整する。
これにより、撮像装置１においては、調整した撮像部１６の撮影方向に対して、複数光源の位置関係を変更することができ、被写体への照明状態をユーザが所望する状態にすることができる。
【００６６】
軸１００Ａは、第２筐体３を第１筐体２と回動可能に連結させ、第２筐体３を回動させることにより撮像部１６の撮影方向を調整する。
これにより、撮像装置１においては、回動可能に構成されるために、可動範囲が制限されて、操作に不慣れなユーザでも回動操作でより簡単に好適な被写体への照明状態とすることができる。
【００６７】
軸１００（軸１００Ａ，１００Ｂ）は、第１筐体２、フレーム４及び第２筐体３を第１の回動軸である軸１００（軸１００Ａ，１００Ｂ）を中心に回動可能に連結させ、各筐体の少なくとも１つを回動させることで、第１点光源部１９ａ及び面光源部１９ｂと、第２点光源部１９ｃとの位置及び照射方向を夫々調整する。
これにより、撮像装置１においては、調整した撮像部１６の撮影方向に対して、複数光源の位置関係を変更することができ、被写体への照明状態をユーザが所望する状態にすることができる。
【００６８】
第２筐体３は、撮像部１６の撮影方向と正対方向に回転する第２の回動軸である軸１００ｃを中心に回動可能な出力部１８を備える。
これにより、撮像装置１においては、表示部を反転させることで自分撮りや普通撮りを行うことができる。
【００６９】
また、撮像装置１は、設定処理部５１と、光源制御部５３とをさらに備える。
設定処理部５１は、撮影モードを設定する。
光源制御部５３は、第１点光源部１９ａ、面光源部１９ｂ及び第２点光源部１９ｃの発光状態を制御する。
また、光源制御部５３は、設定処理部５１によって設定された撮影モードに応じて、発色と発光量を変更するように第１点光源部１９ａ、面光源部１９ｂ及び第２点光源部１９ｃを制御する。
これにより、撮像装置１においては、撮影モードに応じて、光源部１９の発光状態を変更するために、ユーザが所望する状態をモードで設定するだけで、自動的に照明制御を行うことができる。
【００７０】
撮影モードに応じて、撮像部１６によって撮像された画像を補正する画像補正部５５をさらに備える。
これにより、撮像装置１においては、ユーザが所望する状態をモードで設定するだけで、対応する画像補正を行い、最終的な画像を所望する状態にすることができる。
【００７１】
第１点光源部１９ａ及び面光源部１９ｂは、面発光可能な発光ダイオード（ＬＥＤ）で構成される。
第２点光源部１９ｃは、点発光可能な発光ダイオード（ＬＥＤ）で構成される。
これにより、簡単な構成で、撮像装置１を構成することができる。
【００７２】
軸１００は、少なくとも第１点光源部１９ａ及び面光源部１９ｂ又は第２点光源部１９ｃのいずれか一方が所定位置となった場合にクリック感を出すように構成される。
これにより、撮像装置１においては、例えば、好適な位置でクリック感を出すように構成することで、直感的に位置を把握することができる上に、簡単に好適な位置に光源部１９を配置することができる。
【００７３】
なお、本発明は、上述の実施形態に限定されるものではなく、本発明の目的を達成できる範囲での変形、改良等は本発明に含まれるものである。
【００７４】
上述の実施形態では、撮影モードにより、光源部１９の制御や画像補正を変更するように構成したが、フォーカスや露光等の撮像条件を撮影モードに対応して変更するように撮像部１６を制御してもよい。
【００７５】
また、上述の実施形態では、出力部１８を光源として利用するように構成してもよい。この場合、さらに、出力部１８を第４の光源として利用してもよいし、面光源部１９ｂを出力部１８として構成してもよい。
【００７６】
また、上述の実施形態では、出力制御部５２は、撮影の前段階において、撮影モードに対応した位置や角度等構図示唆のガイダンスを、出力部１８を介して行うように構成することができる。この際、ガイダンスは、単にユーザに対して撮影モードに対応した撮影の姿勢等を通知することもできるし、センサ等により装置の姿勢を解析したり、撮像部１６から取得した画像から顔と装置との位置を解析したりして、撮影モードに対応した適切な位置関係となるように逐次音声でのアナウンスや音や光や振動での通知をするように構成することもできる。
具体的には、撮影モードに適した第１点光源部１９ａ及び面光源部１９ｂと、第２点光源部１９ｃの位置及び照射方向になるように、指示情報であるガイダンス等を報知する報知部又は、軸１００（軸１００Ａ，１００Ｂ）が撮影モードに適した回動状態になるよう、第１の回動軸である軸１００を中心にした第１筐体２、及びフレーム４の回動状態に基づいて、指示情報であるガイダンス等を報知する報知部を更に備える。
【００７７】
また、上述した実施形態では、軸１００が、第１点光源部１９ａ及び面光源部１９ｂと、第２点光源部１９ｃとの位置及び照射方向を夫々独立して調整するよう構成したが、各光源部１９の位置及び照射方向が夫々連動するように調整するよう構成してもよい。例えば、所定の撮影モードにおいて、第１点光源部１９ａ及び面光源部１９ｂと、第２点光源部１９ｃそれぞれの角度が決まっている場合に、第１点光源部１９ａ及び面光源部１９ｂが設けられる第１筐体２を動かした場合に、対応する位置に連動してフレーム４が動くように構成してもよい。
また、所定の撮影モードを設定したときに、第１点光源部１９ａ及び面光源部１９ｂと、第２点光源部１９ｃそれぞれが対応する位置関係となるように、自動で第１筐体２とフレーム４とが動くように構成してもよい。この場合、各軸１００にモータ等を内蔵して自動で位置を変更するように制御する。
【００７８】
また、上述した実施形態では、ユーザが撮影モードを設定して、対応する第１点光源部１９ａ及び面光源部１９ｂと、第２点光源部１９ｃでの発光制御を行うように構成したがこれに限られない。所定の状態（撮像装置１の角度や第１筐体２及びフレーム４の位置関係）となったときに、対応する好適な撮影モードが選択されて、対応する第１点光源部１９ａ及び面光源部１９ｂと、第２点光源部１９ｃでの発光制御を行うように構成してもよい。また、この際、ユーザが撮影モードを意識せずに、所定の姿勢で、所定の撮影ポイントに撮像装置１を位置させた場合に、撮像装置１において被写体との位置関係、撮像装置１の角度、第１筐体２及びフレーム４の位置関係等から好適な撮影モードを選択し設定するように構成してもよい。この場合、撮像装置１において撮影モード選択のために撮影を行って取得した画像から被写体との位置関係を解析したり、センサ情報から撮像装置１の角度や第１筐体２及びフレーム４の位置関係を解析したりするようにすることができる。
【００７９】
また、上述の実施形態では、本発明が適用される撮像装置１は、デジタルカメラを例として説明したが、特にこれに限定されない。
例えば、本発明は、ライティング撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００８０】
上述した一連の処理は、ハードウェアにより実行させることもできるし、ソフトウェアにより実行させることもできる。
換言すると、図５の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【００８１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８２】
このようなプログラムを含む記録媒体は、ユーザにプログラムを提供するために装置本体とは別に配布される図４のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図４のＲＯＭ１２や、図４の記憶部２０に含まれるハードディスク等で構成される。
【００８３】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００８４】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００８５】
以下に、本願の出願当初の特許請求の範囲に記載された発明を付記する。
［付記１］
被写体を撮像する撮像部と、
前記被写体へ照明光を第１の方向から照らす第１の光源部と、
前記被写体へ照明光を前記第１の方向とは異なる第２の方向から照らす第２の光源部と、
前記撮像部の位置及び撮像方向を基準とし、前記第１の光源部及び前記第２の光源部の位置及び照射方向を調整する調整部と、
を備えたことを特徴とする撮像装置。
［付記２］
前記調整部は回動動作によって前記第１の光源部及び前記第２の光源部の位置及び照射方向を夫々調整する、
ことを特徴とする付記１に記載の撮像装置。
［付記３］
前記第１の光源部は、第１の筐体に設けられ、
前記第２の光源部は、第２の筐体に設けられ、
前記調整部は、前記第１の筐体と前記第２の筐体とを連結し、第１の回動軸を中心にして移動可能とし、前記第１の光源部及び前記第２の光源部の位置及び照射方向を夫々独立して調整する、
ことを特徴とする付記１又は２に記載の撮像装置。
［付記４］
前記調整部は、前記第１の筐体と前記第２の筐体とを回動可能に連結させ、前記撮像部を中心にして回動させて前記第１の光源部及び前記第２の光源部の位置及び照射方向を夫々調整する、
ことを特徴とする付記３に記載の撮像装置。
［付記５］
前記調整部は、前記第１の筐体と前記第２の筐体とを第１の回動軸を中心に回動可能に連結させ、前記第１の回動軸を中心にして回動させることにより前記第１の光源部及び前記第２の光源部の位置及び照射方向を夫々独立して調整する、
ことを特徴とする付記４に記載の撮像装置。
［付記６］
前記撮像部は、第３の筐体に設けられ、
前記調整部は、前記第１の筐体と前記第３の筐体とを移動可能に連結させ、前記第３の筐体を移動させることにより前記撮像部の撮影方向を調整する、
ことを特徴とする付記３乃至５の何れか１つに記載の撮像装置。
［付記７］
前記調整部は、前記第３の筐体を前記第１の筐体と回動可能に連結させ、前記第３の筐体を回動させることにより前記撮像部の撮影方向を調整する、
ことを特徴とする付記６に記載の撮像装置。
［付記８］
前記調整部は、前記第１の筐体、前記第２の筐体、及び前記第３の筐体を前記第１の回動軸を中心に回動可能に連結させ、各筐体の少なくとも１つを回動させることで、前記第１の光源部及び前記第２の光源部の位置及び照射方向を夫々調整する、
ことを特徴とする付記６又は７に記載の撮像装置。
［付記９］
前記第３の筐体は、撮像部の撮影方向と正対方向に回転する第２の回動軸を中心に回動可能な表示部を備える、
ことを特徴とする付記６乃至８の何れか１つに記載の撮像装置。
［付記１０］
撮影モードを設定する設定部と、
前記第１の光源部及び前記第２の光源部の発光状態を制御する制御部をさらに備え、
前記制御部は、前記設定部によって設定された撮影モードに応じて、発色と発光量を変更するように前記第１の光源部及び前記第２の光源部を制御する、
ことを特徴とする付記１乃至９の何れか１つに記載の撮像装置。
［付記１１］
設定部によって設定された前記撮影モードに応じて、前記撮像部によって撮像された画像を補正する画像補正部をさらに備える、
ことを特徴とする付記１０に記載の撮像装置。
［付記１２］
前記撮影モードに適した前記第１の光源部及び前記第２の光源部の位置及び照射方向になるように、指示情報を報知する報知部を更に備える、
ことを特徴とする付記１０又は１１の何れか１つに記載の撮像装置。
［付記１３］
前記第１の光源部及び前記第２の光源部の位置及び照射方向に関する情報を取得するし取得部を更に備え、
前記設定部は、前記取得部により取得された情報に基づいて、撮影モードを設定する、
ことを特徴とする付記１０乃至１２の何れか１つに記載の撮像装置。
［付記１４］
前記第１の光源部は、面発光可能な発光ダイオードで構成され、
前記第２の光源部は、点発光可能な発光ダイオードで構成される、
ことを特徴とする付記１乃至１３の何れか１つに記載の撮像装置。
［付記１５］
前記調整部は、少なくとも前記第１の光源部又は前記第２の光源部の何れか一方が所定位置となった場合にクリック感を出すように構成される、
ことを特徴とする付記１乃至１４の何れか１つに記載の撮像装置。
［付記１６］
前記調整部は、前記第１の光源部及び前記第２の光源部の位置及び照射方向を連動させて調整する、
ことを特徴とする付記１乃至１４の何れか１つに記載の撮像装置。
［付記１７］
被写体を撮像する撮像部と、前記被写体へ照明光を第１の方向から照らす第１の光源部と、前記被写体へ照明光を前記第１の方向とは異なる第２の方向から照らす第２の光源部と、前記撮像部の位置及び撮像方向を基準とし、前記第１の光源部及び前記第２の光源部の位置及び照射方向を調整する調整部と、を備える撮像装置で実行される撮影制御方法であって、
前記第１の光源部及び前記第２の光源部の発光状態を制御する制御ステップと、
前記制御ステップの制御下において、前記撮像部での撮影を行う撮影ステップと、
を含み、
前記制御ステップでは、撮影スタイルに応じて、発色と発光量を変更するように前記第１の光源部及び前記第２の光源部を制御する、
ことを特徴とする撮影制御方法。
［付記１８］
被写体を撮像する撮像部と、前記被写体へ照明光を第１の方向から照らす第１の光源部と、前記被写体へ照明光を前記第１の方向とは異なる第２の方向から照らす第２の光源部と、前記撮像部の位置及び撮像方向を基準とし、前記第１の光源部及び前記第２の光源部の位置及び照射方向を調整する調整部と、を備える撮像装置を制御するコンピュータを、
前記第１の光源部及び前記第２の光源部の発光状態を制御する制御手段、
前記制御手段の機能発揮下において、前記撮像部での撮影を行う撮影手段、
として機能させ、
前記制御手段は、撮影スタイルに応じて、発色と発光量を変更するように前記第１の光源部及び前記第２の光源部を制御する、
ことを特徴とするプログラム。
【符号の説明】
【００８６】
１・・・撮像装置，２・・・第１筐体，３・・・第２筐体，４・・・フレーム，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部１８・・・光源部，２０・・・記憶部，２１・・・通信部，２２・・・ドライブ，３１・・・リムーバブルメディア，５１・・・設定処理部，５２・・・出力制御部，５３・・・光源制御部，５４・・・撮像制御部，５５・・・画像補正部，７１・・・ライティング情報記憶部，７２・・・画像記憶部，１００・・・軸
【図１】
2017015885.tif 000003
【図２】
2017015885.tif 000004
【図３】
2017015885.tif 000005
【図４】
2017015885.tif 000006
【図５】
2017015885.tif 000007
【図６】
2017015885.tif 000008